(57)【要約】【課題】従来の送受信回路は、Ｒａｋｅ合成を行うための受信信号の遅延時間の計算に多くの消費電力が必要である問題があった。【解決手段】本発明の送受信装置は、受信信号の遅延プロファイルを生成する受信信号電力計算部４１と、遅延プロファイル内で所定の電力値よりも大きな電力となる有効ピークを検索し、有効ピークのうち最大電力となる有効ピークの遅延時間を示す最大ピーク遅延時間情報Ｓ１と、有効ピークの電力値を示すピークレベル情報Ｓ２とを出力する有効ピーク判定部４２と、受信信号電力計算部４１が遅延プロファイルを生成する期間を切り替える動作切り替え信号Ｓ３をピークレベル情報Ｓ２に基づき生成するパスサーチ動作制御部４３とを有し、受信信号電力計算部４１は、動作切り替え信号Ｓ３に基づき第１の期間内の遅延プロファイルを生成し、あるいは第１の期間よりも短い期間の第２の期間内の遅延プロファイルを生成するものである。【選択図】図１
2007166354.tif 000002
【特許請求の範囲】
【請求項１】
受信信号の遅延プロファイルを生成する受信信号電力計算部と、
前記遅延プロファイル内において所定の電力値よりも大きな電力となる有効ピークを検索し、前記有効ピークのうち最大の電力となる最大有効ピークに対応する遅延時間を示す最大ピーク遅延時間情報と、前記有効ピークの電力値を示すピークレベル情報とを出力する有効ピーク判定部と、
前記受信信号電力計算部が遅延プロファイルを生成する期間を切り替える動作切り替え信号を前記ピークレベル情報に基づき生成するパスサーチ動作制御部とを有し、
前記受信信号電力計算部は、前記動作切り替え信号に基づき第１の期間内の遅延プロファイルを生成し、あるいは前記最大ピーク遅延時間情報によって指定される時間を含み前記第１の期間よりも短い期間で設定される第２の期間内の遅延プロファイルを生成する送受信装置。
【請求項２】
前記パスサーチ動作制御部は、所定の値を有する電力閾値と前記ピークレベル情報とを比較し、前記比較の結果に基づき動作切り替え信号を生成することを特徴とする請求項１に記載の送受信装置。
【請求項３】
前記ピークレベル情報は、前記有効ピークのうち最大の電力レベルとなる有効ピークの電力値を示すことを特徴とする請求項１又は２に記載の送受信装置。
【請求項４】
前記ピークレベル情報は、前記有効ピークの平均値を示すことを特徴とする請求項１又は２に記載の送受信装置。
【請求項５】
前記第２の期間は、前記最大ピーク遅延時間情報によって指定される時間を略中央として所定の期間が設定されることを特徴とする請求項１に記載の送受信装置。
【請求項６】
前記受信信号電力計算部は、前記動作切り替え信号が所定の値を有する電力閾値よりも前記ピークレベル情報の値が小さいことを示す場合に前記第１の期間で遅延プロファイルを生成し、前記動作切り替え信号が所定の値を有する電力閾値よりも前記ピークレベル情報の値が大きいことを示す場合に前記第２の期間で遅延プロファイルを生成することを特徴とする請求項１に記載の送受信装置。
【請求項７】
前記受信信号電力計算部は、スペクトラム拡散された受信信号を受信し、前記受信信号を逆拡散することで前記受信信号の電力を計算し、前記受信信号の電力値と前記電力値に対応した遅延時間とを含む前記遅延プロファイルを生成することを特徴とする請求項１又は６に記載の送受信装置。
【発明の詳細な説明】
【技術分野】
【０００１】
本発明にかかるスペクトラム拡散通信方式のパスサーチ回路は、特に複数の経路を伝播して受信される信号の信号電力の有効ピークをサーチするパスサーチ回路に関する。
【背景技術】
【０００２】
近年、携帯電話システム等の無線システムでは、スペクトラム拡散通信が多く用いられている。このスペクトラム拡散通信は、送信側機器において拡散符号としてＰＮ（擬似乱数：Pseudo-random Number）コードを用いて伝送信号を変調することによって、伝送信号のスペクトラムを拡散する。また、受信側機器においては、送信側機器と同じＰＮコードを用いて受信した伝送信号を逆拡散することによって、伝送信号の復調を行う。
【０００３】
また、送信側機器と受信側機器との間で通信される伝送信号は、電波である。そのため、受信側機器で受信する伝送信号には、機器間を直接伝播する直接波に加えて、建物等の遮蔽物に反射して伝播される干渉波が混在することになる。一般的に、干渉波は、直接波に比べて到達遅延時間が不安定な信号であるためノイズとなる。しかしながら、この遅延時間を把握して、受信側機器で直接波に干渉波を加えることができれば、受信する伝送信号の電界強度を増大することができ、伝送信号のＳ／Ｎ（Signal/Noise）比を高めることができる。このように、直接波に干渉波を合成して受信信号を増強する手法をＲａｋｅ合成という。
【０００４】
Ｒａｋｅ合成を用いた従来の送受信回路１００のブロック図を図６に示す。図６に示す送受信回路１００は、アンテナ１０１、送受信フィルタ１０２、送信ブロック１１０、受信ブロック１２０を有している。
【０００５】
送信ブロック１１０は、音声信号を検出して伝送信号を生成する。送信ブロック１１０の動作を説明する。まず、マイク１１４によって音声信号を検出する。検出された音声信号は、送信音声処理部１１３でデジタル信号に変換される。ベースバンド送信部１１２は、ＲＦ（Radio Frequency）信号に２段階の変調処理を行う。変調処理は、ＲＦ信号に対して前述のデジタル信号を用いて変調を行う一次変調と、一次変調されたＲＦ信号に対してＰＮコードを用いて変調を行う二次変調とによって行われる。ベースバンド送信部１１２によって、変調されたＲＦ信号は、送信ＲＦ部１１１で増幅され、送受信フィルタ１０２とアンテナ１０１とを介して送信される。
【０００６】
受信ブロック１２０は、受信した伝送信号から音声信号を生成する。受信ブロック１２０の動作を説明する。まず、アンテナ１０１と送受信フィルタ１０２を介して受信ＲＦ部１２１が伝送信号を受信する。受信された伝送信号は受信ＲＦ部１２１で増幅され、受信信号電力計算部１２２に送信される。受信信号電力計算部１２２では、受信した伝送信号に対してＰＮコードを用いた逆拡散を行い所定期間に受信した伝送信号の遅延プロファイルを計算する。この逆拡散は、所定期間に受信した伝送信号に対してタイミングをずらした複数のＰＮコードを用いて行われる。図７に遅延プロファイルの一例を示す。遅延プロファイルは、縦軸にタイミングをずらした複数のＰＮコードによって逆拡散された伝送信号の電力が示され、横軸にタイミングのずれ量（時間）が示される。図７に示すように、伝送信号は、タイミングＴ３とＴ４との間と、タイミングＴ５とＴ６との間とで他に比べて電力が大きくなっている。ここで、図７に示す時間は、信号の到達時間の遅延として捉えることができる。受信信号電力計算部１２２は、図７に示す電力と時間とを関連付けて遅延プロファイルをメモリに記憶する。
【０００７】
有効ピーク判定部１２３は、遅延プロファイルより電力が所定の値以上となっている有効ピークとその有効ピークに対応する時間を検索し、検索した時間に基づきベースバンド受信部１２４を制御する。有効ピークに対応する時間を検索する範囲をパスサーチ範囲と称す。ベースバンド受信部１２４は、複数のベースバンド受信回路を有する。複数のベースバンド受信回路は、それぞれ有効ピーク判定部１２３が検索した有効ピークの遅延時間の１つに対応して動作する。それぞれのベースバンド受信回路は、有効ピークの遅延時間を考慮して受信ＲＦ部１２１から入力される伝送信号の逆拡散を行う。電力合成部１２５は、複数のベースバンド受信回路の出力信号を合成する。これによって、電力合成部１２５が出力するベースバンド信号は、有効ピークの電力を合成した信号となる。ベースバンド信号は、受信音声処理部１２６で音声信号となり、スピーカー１２７より出力される。
【０００８】
このように、Ｒａｋｅ合成を行うことで受信した伝送信号の電力を増強と、伝送信号のＳ／Ｎ比の向上が可能である。また、Ｒａｋｅ合成を行う場合に有効ピークを検索する方法の他の例が特許文献１、２、３に開示されている。
【特許文献１】特開２０００−２２６６５号公報
【特許文献２】特開２００３−８７１５３号公報
【特許文献３】特開２００４−８０２９８号公報
【発明の開示】
【発明が解決しようとする課題】
【０００９】
しかしながら、従来の送受信回路１００は、Ｒａｋｅ合成を行うために、伝送信号を受信するごとに全範囲に対して遅延プロファイルの計算を行わなければならない。また、有効ピーク判定部１２３は、遅延プロファイルの全てをパスサーチ範囲として有効ピークの検索を行っている。そのため受信ブロック１２０での消費電力が増大する問題があった。
【００１０】
また、特許文献１、２、３に開示される技術は、パスサーチ範囲を限定することで有効ピーク検索にかかる消費電力の低減を行うものである。しかしながら、伝送信号を受信するごとに全範囲に対して遅延プロファイルの計算を行っているために、受信電力計算部の消費電力を削減することができない問題がある。
【課題を解決するための手段】
【００１１】
本発明にかかる送受信装置は、受信信号の遅延プロファイルを生成する受信信号電力計算部と、前記遅延プロファイル内において所定の電力値よりも大きな電力となる有効ピークを検索し、前記有効ピークのうち最大の電力となる最大有効ピークに対応する遅延時間を示す最大ピーク遅延時間情報と、前記有効ピークの電力値を示すピークレベル情報とを出力する有効ピーク判定部と、前記受信信号電力計算部が遅延プロファイルを生成する期間を切り替える動作切り替え信号を前記ピークレベル情報に基づき生成するパスサーチ動作制御部とを有し、前記受信信号電力計算部は、前記動作切り替え信号に基づき第１の期間内の遅延プロファイルを生成し、あるいは前記最大ピーク遅延時間情報によって指定される時間を含み前記第１の期間よりも短い期間で設定される第２の期間内の遅延プロファイルを生成するものである。
【００１２】
本発明にかかる送受信回路によれば、遅延プロファイル中に有効ピークがある場合、受信信号電力計算部は、次のタイミングで受信する伝送信号からは短い期間を指定する第２の期間内でのみ遅延プロファイルの生成を行う。これによって、受信信号電力計算部の計算量を削減されるため、受信信号電力計算部での消費電力を低減することが可能である。また、有効ピーク判定部は、生成された遅延プロファイル内のみで有効ピークの検索を行う。つまり、有効ピーク判定部は、遅延プロファイルが第２の期間内において生成されたものである場合、第２の期間の範囲内での有効ピークの検索を行う。これによって、有効ピーク判定部の計算量を削減できるため、有効ピーク判定部での消費電力を低減することが可能である。
【発明の効果】
【００１３】
本発明にかかる送受信回路によれば、遅延プロファイル生成及び有効ピークの検索に関する消費電力を低減することが可能である。
【発明を実施するための最良の形態】
【００１４】
本発明にかかる送受信回路は、例えばスペクトラム拡散通信方式の無線通信に用いられる。スペクトラム拡散通信は、ＰＮコードを用いて伝送信号を変調し、伝送信号のスペクトラムを拡散することで、帯域幅を有効に利用する方法である。ここで、スペクトラム拡散通信の変調方法には、直接拡散変調（ＤＳ：Direct Sequence）や周波数ホッピング変調（ＦＨ：Frequency Hopping）などがあるが、以下の説明では、一例として直接拡散変調を行う場合について説明する。また、本発明にかかる送受信回路は、Ｒａｋｅ合成を行い受信した伝送信号の電力を増強する。
【００１５】
スペクトラム拡散通信方式について説明する。スペクトラム拡散通信では、所定の周波数を有する伝送信号をＰＮコードで変調することによって、伝送信号のスペクトラムを拡散し、信号の電力レベルを低減する。つまり、送信側機器から送信される電波（伝送信号）は、元の伝送信号より広いスペクトラムと低い電力レベルとを有する。このような電波を受信し、元の伝送信号に戻すためには、逆拡散という処理を行う。逆拡散は、受信した伝送信号の変調に用いられたＰＮコードと同位相であって、同一のＰＮコードを受信側機器で生成し、受信した伝送信号をこの生成したＰＮコードで再び変調を施すことで行う。これによって、受信した伝送信号は、スペクトラムが狭く、電力レベルが大きな信号となる。また、スペクトラム拡散通信方式では、受信した伝送信号の変調に用いられたＰＮコードと異なる位相、あるいは異なるＰＮコードで受信した伝送信号を変調すると、受信した伝送信号のスペクトラムはさらに広がり、電力レベルはさらに低下する特徴がある。
【００１６】
また、ＰＮコードは、擬似的な乱数に基づいてハイレベル（例えば、電源電位）とロウレベル（例えば、接地電位）とが切り替わるクロック信号である。ＰＮコードのハイレベルとロウレベルとの切り替わり時間の最小単位は、一般的に送信するデータの切り替わり時間の最小単位の数分の一である。つまり、ＰＮコードは、送信するデータの数倍の周波数を有する。以下の説明においては、このＰＮコードの切り替わり時間の最小単位を１チップ区間と称し、送信するデータの切り替わりの最小単位を１ビット区間と称す。
【００１７】
本発明にかかる送受信回路の一態様を以下で図面を参照して説明する。図１に本発明にかかる送受信回路１のブロック図を示す。送受信回路１は、アンテナ１０、送受信フィルタ１１、送信ブロック２０、受信ブロック３０を有している。
【００１８】
送信ブロック２０は、マイク２１、送信音声処理部２２、ベースバンド送信部２３、送信ＲＦ部２４を有している。マイク２１は、音声を検出する。送信音声処理部２２は、マイク２１で検出された音声信号をデジタル音声信号に変換する。ベースバンド送信部２３は、デジタル音声信号とＰＮコードとを用いてＲＦ信号を変調して、送信信号を生成する。この変調には、デジタル音声信号によってＲＦ信号を変調する一次変調と、一次変調されたＲＦ信号にさらにＰＮコードによる変調を行う二次変調とがある。この２つの変調を行うことでベースバンド送信部２３は、送信信号を生成する。送信ＲＦ部２４は、送信信号を増幅して、送受信フィルタ１１とアンテナ１０とを介して伝送信号を出力する。
【００１９】
受信ブロック３０は、受信ＲＦ部３１、ベースバンド受信部３２、電力合成部３３、受信音声処理部３４、スピーカー３５、パスサーチ回路４０を有している。受信ＲＦ部３１は、アンテナ１０、送受信フィルタ１１を介して受信した伝送信号（例えば、受信信号）を増幅し、後段に接続される回路に出力する。ベースバンド受信部３２は、複数のベースバンド受信回路を有している。複数のベースバンド受信回路は、それぞれ有効ピーク判定部４２より与えられる遅延情報に対応した遅延を有するＰＮコードを用いて受信信号の逆拡散を行う。有効ピーク判定部４２の詳細は後述する。
【００２０】
電力合成部３３は、複数のベースバンド受信回路の出力を合成して１つのベースバンド信号を生成する。受信音声処理部３４は、電力合成部３３の出力よりアナログ音声信号を生成し、スピーカー３５より音声信号を出力する。
【００２１】
パスサーチ回路４０は、受信信号の遅延プロファイルを生成して、遅延情報を複数のベースバンド受信回路に送信する。パスサーチ回路４０の詳細なブロック図を図２に示し、これを参照してパスサーチ回路４０について詳細に説明する。
【００２２】
図２に示すように、パスサーチ回路４０は、受信信号電力計算部４１、有効ピーク判定部４２、パスサーチ動作制御部４３を有している。また、受信信号電力計算部４１は、制御部４１１、ＰＮコード発生器４１２、逆拡散部４１３、積分器４１４、デュアルポートＲＡＭ４１５を有している。有効ピーク判定部４２は、サーチャー回路４２１、最大ピーク電力検出部４２２、最大ピーク電力検出部４２２を有している。パスサーチ動作制御部４３は、比較器４３１を有している。
【００２３】
受信信号電力計算部４１は、受信信号の遅延プロファイルを生成して記憶する。この遅延プロファイルを生成する期間を最大ピーク遅延時間情報Ｓ１と動作切り替え信号Ｓ３とに基づき制御部４１１が制御する。最大ピーク遅延時間情報Ｓ１と動作切り替え信号Ｓ３とについては後述する。ＰＮコード発生器４１２は、ＰＮコードを生成する。逆拡散部４１３は、ＰＮコード発生器４１２が生成したＰＮコードの位相をずらし、ずらした各ＰＮコードを用いて受信信号の逆拡散を行う。ここで、逆拡散に用いられるＰＮコードは、例えばＰＮコードのレベルが変化する最小単位を１チップとすると、１／２チップずつ位相を遅らせたものである。
【００２４】
積分器４１４は、逆拡散部４１３が出力する信号を積分し、受信信号電力レベルを出力する。デュアルポートＲＡＭ４１５は、受信信号電力レベルの値とその値に対応するＰＮコードのずれ量とを関係付けた遅延プロファイルを記憶する。
【００２５】
つまり、ＰＮコード発生器４１２受信信号の変調に用いられたＰＮコードと同位相、かつ、同一のＰＮコードを生成し、ＰＮコード発生器４１２が生成するＰＮコードの位相を少しずつ遅延させながら逆拡散部４１３で受信信号の逆拡散を行うことで、所定のタイミングで電力レベルのピークを検出することができ、電力レベルがピークとなった時のずれ量から信号の遅延時間を検出することが可能である。したがって、受信信号電力計算部４１は、この遅延時間と電力レベルとに基づいて遅延プロファイルを生成する。この遅延プロファイルのテーブルの一例を図３に示す。図３に示す遅延プロファイルのテーブルは、デュアルポートＲＡＭ４１５に記憶されるものであって、アドレスが遅延時間に対応しており、アドレスに対応してそのタイミングでの電力レベルが記憶されている。
【００２６】
有効ピーク判定部４２は、デュアルポートＲＡＭ４１５に記憶された遅延プロファイルを検索し、所定値以上の電力レベルを有効ピークとして判定し、有効ピークに対応した遅延時間の情報をそれぞれ、複数のベースバンド受信回路に送信する。遅延プロファイルの検索と遅延時間の送信はサーチャー回路４２１が行う。また、サーチャー回路４２１は、有効ピークのうち最大の電力レベルを示すピークレベル情報Ｓ２をパスサーチ動作制御部４３に送信する。
【００２７】
さらに、有効ピーク判定部４２の最大ピーク電力検出部４２２は、有効ピークのうち最大レベルのピークが発生した遅延時間を示す最大ピーク遅延時間情報Ｓ１を受信信号電力計算部４１の制御部４１１に送信する。
【００２８】
パスサーチ動作制御部４３は、比較器４３１によって、ピークレベル情報Ｓ２と所定の値を示す電力閾値とを比較し、動作切り替え信号Ｓ３を出力する。動作切り替え信号Ｓ３は、例えばピークレベル情報Ｓ２の値が電力閾値よりも小さければハイレベル（例えば、電源電位）となり、ピークレベル情報Ｓ２の値が電力閾値よりも大きければロウレベル（例えば、接地電位）となる。
【００２９】
ここで、パスサーチ回路４０の動作を図４に示すタイミングチャートを参照して説明する。また、以下では、遅延プロファイルを計算する区間として、１ビット区間を１つの計算単位とした場合を一例として説明する。
【００３０】
パスサーチ回路４０は、まず受信信号が入力される（ステップＳ１０１）と、受信信号電力計算部４１で１ビット区間の全体を第１の期間（例えば、第１のパスサーチ範囲）として、第１のパスサーチ範囲の遅延プロファイルを生成する（ステップＳ１０２）。続いて、第１のパスサーチ範囲において生成された遅延プロファイルに対して、有効ピーク判定部４２が有効ピークを検索する（ステップＳ１０３）。また、有効ピーク判定部４２は、検索された有効ピークに対応した遅延時間をそれぞれベースバンド受信回路に送信する。
【００３１】
ステップＳ１０３によって、遅延プロファイル中の最大ピークに対応する遅延時間が検索されるため、有効ピーク判定部４２は、最大ピーク遅延時間情報Ｓ１を受信信号電力計算部４１に送信する（ステップＳ１０４）。また、有効ピーク判定部４２は、ピークレベル情報Ｓ２をパスサーチ動作制御部４３に送信する。ここで、ピークレベル情報Ｓ２の値が電力閾値よりも小さければステップＳ１０１に戻り次のタイミングの信号を受信する。ピークレベル情報Ｓ２の値が電力閾値よりも大きければステップＳ１０６へと進む（ステップＳ１０５）。
【００３２】
ステップＳ１０６では、最大ピーク遅延時間情報Ｓ１に基づき、受信信号の電力レベルが最大レベルとなる遅延時間を中心に第１のパスサーチ範囲の１／２の大きさとなる第２の期間（例えば、第２のパスサーチ範囲）を設定する（ステップＳ１０６）。続いて、次のタイミングで入力される信号を受信する（ステップＳ１０７）。ステップＳ１０７で入力される信号に対して、受信信号電力計算部４１は、第２のパスサーチ範囲内の受信信号の電力を計算し、第２のパスサーチ範囲内の遅延プロファイルを生成する（ステップＳ１０８）。
なお、受信信号電力計算部４１は、第２のパスサーチ範囲以外の期間は受信信号の電力計算及び遅延プロファイルの生成を行わない。しかしながら、ＰＮコード発生器４１２の動作は、継続して行うことが好ましい。これは、ＰＮコードが擬似乱数であるため、ＰＮコード発生器４１２の動作を停止した場合、再度生成を開始したＰＮコードを受信信号に対応したＰＮコードに同期させる処理に多くの時間が必要となるためである。
【００３３】
続いて、有効ピーク判定部４２は、第２のパスサーチ範囲内の遅延プロファイルに基づき、有効ピークを検索する（ステップＳ１０９）。このとき、有効ピーク判定部４２は、第２のパスサーチ範囲内の有効ピークより得られる遅延時間をそれぞれベースバンド受信回路に送信する。また、有効ピーク判定部４２は、ピークレベル情報Ｓ２をパスサーチ動作制御部４３に送信する。ここで、ピークレベル情報Ｓ２の値が電力閾値よりも小さければステップＳ１０１に戻り、その後に入力される信号を受信する。ピークレベル情報Ｓ２の値が電力閾値よりも大きければステップＳ１０７に戻り、その後に入力される信号を受信する（ステップＳ１１０）。
【００３４】
なお、上記説明では、第２のパスサーチ期間は、ステップＳ１０７〜ステップＳ１１０において再設定や変更を行わない例について説明したが、ステップＳ１１０でピークレベル情報Ｓ２の値が電力閾値よりも大きい場合にステップＳ１０６にもどり、第２のパスサーチ範囲を再設定するようにしても良い。
【００３５】
ここで、遅延プロファイルと第１、第２のパスサーチ範囲との関係を図５に示す。図５に示すようにタイミングＴ０〜Ｔ８の期間を１ビット区間とすると、第１のパスサーチ範囲はタイミングＴ０〜Ｔ８の期間で設定される。また、最大レベルとなる有効ピークがタイミングＴ３〜Ｔ４の期間にある。したがって、第２のパスサーチ範囲は、タイミングＴ２〜Ｔ６の期間に設定される。
【００３６】
上記説明より、従来の送受信装置は、信号を受信する毎に第１のパスサーチ範囲に対して遅延プロファイルを計算していたのに対し、本発明にかかる送受信装置は、有効ピークを検出した後は第１のパスサーチ範囲の１／２の期間となる第２のパスサーチ範囲を設定し、これ以降に受信する信号に対しては第２のパスサーチ範囲内の遅延プロファイルのみを生成する。これによって、遅延プロファイルを生成するための計算量を従来の半分にできるため、受信信号電力計算部４１の消費電力を削減することが可能である。
【００３７】
本発明の有効ピーク判定部４２の有効ピーク検索範囲は、遅延プロファイルが生成された期間と同じである。つまり、遅延プロファイルが第１のパスサーチ範囲よりも短い第２のパスサーチ範囲で生成された場合、有効ピーク判定部４２での計算量が削減されるため、有効ピーク判定部４２での消費電力も削減することが可能である。
【００３８】
一方、本発明においてパスサーチ範囲の期間を設定するために追加される主な回路は、比較器４３１であり、比較器４３１は一般的な回路で回路規模も小さい。そのため、回路規模の増大を抑制することが可能である。また、追加する回路の規模が小さいことから、消費電力の増加を抑制することが可能である。つまり、本発明にかかる送受信回路によれば、遅延プロファイルの計算量削減による消費電力の削減量は、比較器の追加による消費電力の増加に比べて非常に大きなものとなる。また、比較器の追加による面積の増大はごくわずかである。
【００３９】
また、上記実施の形態では、第２のパスサーチ範囲の移動、あるいは範囲の変更を行わないため、第２のパスサーチ範囲を設定するための計算が必要ない。つまり、第２のパスサーチ範囲を設定するための計算にかかる回路の追加、及び消費電力の増加はない。
【００４０】
なお、本発明は上記実施の形態に限られたものではなく、本発明の趣旨を逸脱しない範囲で適宜変形することが可能である。例えば、第２のパスサーチ範囲の設定は、第１のパスサーチ範囲に対して１／４、あるいは３／４にするなど適宜変更することが可能である。また、第２のパスサーチ範囲の設定は、固定値に限らず受信信号の最大電力レベルに応じて変更することも可能である。さらに、ピークレベル情報は、有効ピークの平均値を示す情報を用いても良い。
【図面の簡単な説明】
【００４１】
【図１】本発明にかかる送受信装置のブロック図である。
【図２】本発明にかかるサーチ部のブロック図である。
【図３】本発明にかかる遅延プロファイルのテーブルを示す図である。
【図４】本発明にかかるサーチ部の動作のフローチャートを示す図である。
【図５】本発明にかかるサーチ部のパスサーチ範囲を示す図である。
【図６】従来の送受信装置のブロック図である。
【図７】従来の送受信装置の遅延プロファイル及びパスサーチ範囲を示す図である。
【符号の説明】
【００４２】
１    送受信回路
１０    アンテナ
１１    送受信フィルタ
２０    送信ブロック
２１    マイク
２２    送信音声処理部
２３    ベースバンド送信部
２４    送信ＲＦ部
３０    受信ブロック
３１    受信ＲＦ部
３２    ベースバンド受信部
３３    電力合成部
３４    受信音声処理部
３５    スピーカー
４０    パスサーチ回路
４１    受信信号電力計算部
４２    有効ピーク判定部
４３    パスサーチ動作制御部
４１１    制御部
４１２    ＰＮコード発生器
４１３    逆拡散部
４１４    積分器
４２１    サーチャー回路
４２２    最大ピーク電力検出部
４３１    比較器
４１５    デュアルポートＲＡＭ
Ｓ１    最大ピーク遅延時間情報
Ｓ２    ピークレベル情報
Ｓ３    動作切り替え信号
【図１】
2007166354.tif 000003
【図２】
2007166354.tif 000004
【図３】
2007166354.tif 000005
【図４】
2007166354.tif 000006
【図５】
2007166354.tif 000007
【図６】
2007166354.tif 000008
【図７】
2007166354.tif 000009